(57)【要約】      （修正有）【課題】地上デジタルテレビジョン放送波の伝送制御信号により緊急情報を伝送する送信装置、及び受信装置を提供する。【解決手段】送信装置は、緊急情報の電文を出力する緊急情報生成部１１と、伝送する緊急情報に対して誤り訂正符号のパリティビットを演算して付加する誤り訂正符号化部１２と、ＡＣ信号で緊急情報を伝送するためにトランスポートストリームに多重する再多重部１３と、地上デジタルテレビジョンの放送波の変調波に変調する変調部１４とを備え、少なくとも２つ以上のＡＣ信号間でのビット割り当てを同一とする。【選択図】図３
2010263603.tif 000002
【特許請求の範囲】
【請求項１】
地上デジタルテレビジョン放送のＡＣ信号を用いて緊急情報を送信する送信装置であって、
緊急情報の電文を生成する緊急情報生成部と、
伝送する緊急情報に対して誤り訂正符号のパリティビットを演算して付加する誤り訂正符号化部と、
前記パリティビットを付加して生成される緊急情報をＡＣ信号で伝送するためにトランスポートストリームに多重する再多重部と、
地上デジタルテレビジョンの放送波の変調波に変調する変調部とを備え、
前記パリティビットを付加して生成される緊急情報を伝送するＡＣ信号は、２つ以上のＡＣ信号間で同一のビット割り当てを有することを特徴とする送信装置。
【請求項２】
前記２つ以上のＡＣ信号間における同一のビット割り当ては、ＡＣキャリア間でＯＦＤＭシンボル番号０を除く２０３ビット全てが同一に割り当てられていることを特徴とする、請求項１に記載の送信装置。
【請求項３】
前記２つ以上のＡＣ信号間で同一のビット割り当ては、当該ＡＣ信号のＯＦＤＭシンボル番号１から１６までのビット割り当てとして、前記変調部から出力される変調波のＴＭＣＣ信号のＯＦＤＭシンボル番号１から１６までの同期信号のビット割り当てと同一に割り当てられていることを特徴とする、請求項１又は２に記載の送信装置。
【請求項４】
前記２つ以上のＡＣ信号のうちの２つ以上は、差動基準の異なる複数のＡＣ信号からなることを特徴とする、請求項１〜３のいずれか一項に記載の送信装置。
【請求項５】
前記緊急情報が、緊急警報放送、緊急地震速報、ニュース速報に関連する情報のうちの１つ以上を含むことを特徴とする、請求項１〜４のいずれか一項に記載の送信装置。
【請求項６】
地上デジタルテレビジョン放送のＡＣ信号を用いて緊急情報を受信する受信装置であって、
緊急情報が２つ以上のＡＣ信号で伝送されており、
前記２つ以上のＡＣ信号を含む無線周波信号を中間周波信号に変換するＲＦ受信部と、
前記中間周波信号から前記２つ以上のＡＣ信号及びＳＰ信号を抽出する信号抽出部と、
前記抽出したＳＰ信号から伝送路特性を算出する伝送路特性算出部と、
前記算出した伝送路特性から重み係数を算出する重み係数算出部と、
前記２つ以上のＡＣ信号に重み係数を乗算してダイバーシティ受信を行うダイバーシティ受信部と、
前記ダイバーシティ受信部から出力される信号をキャリア復調する復調部と、
前記復調部から出力される復調出力を差動復号する差動復号部と、
前記差動復号部から出力される差動復号出力の緊急情報を判定する緊急情報判定部とを備え、
前記ダイバーシティ受信は、信号をアナログ加算する最大比合成若しくは等利得合成、又は信号を選択する選択受信であることを特徴とする受信装置。
【請求項７】
地上デジタルテレビジョン放送のＡＣ信号を用いて緊急情報を受信する受信装置であって、
緊急情報が２つ以上のＡＣ信号で伝送されており、
前記２つ以上のＡＣ信号を含む無線周波信号を中間周波信号に変換するＲＦ受信部と、
前記中間周波信号から前記２つ以上のＡＣ信号を抽出する信号抽出部と、
前記信号抽出部によって抽出した前記２つ以上のＡＣ信号を遅延検波する遅延検波部と、
前記遅延検波部によって検波した２つ以上のＡＣ信号をダイバーシティ受信するダイバーシティ受信部と、
前記ダイバーシティ受信部から出力される信号をキャリア復調する復調部と、
前記復調部から出力される緊急情報を判定する緊急情報判定部とを備え、
前記ダイバーシティ受信は、信号をアナログ加算する等利得合成、又は信号を選択する選択受信であることを特徴とする受信装置。
【請求項８】
前記２つ以上のＡＣ信号は、差動基準の異なるＡＣ信号を含むことを特徴とする、請求項６又は７に記載の受信装置。
【請求項９】
地上デジタルテレビジョン放送のＡＣ信号を用いて緊急情報を受信する受信装置であって、
緊急情報が１つ以上のＡＣ信号で伝送されており、且つ該１つ以上のＡＣ信号のＯＦＤＭシンボル番号１から１６までのビット割り当ては、前記ＡＣ信号とともに多重される１つ以上のＴＭＣＣ信号のＯＦＤＭシンボル番号１から１６までの同期信号と同じビット割り当ての同期信号が割り当てられており、
前記１つ以上のＡＣ信号及び前記１つ以上のＴＭＣＣ信号を含む無線周波信号を中間周波信号に変換するＲＦ受信部と、
前記中間周波信号から前記１つ以上のＡＣ信号、前記１つ以上のＴＭＣＣ信号、及びＳＰ信号を抽出する信号抽出部と、
前記抽出したＳＰ信号から伝送路特性を算出する伝送路特性算出部と、
前記算出した伝送路特性から前記１つ以上のＡＣ信号、及び前記１つ以上のＴＭＣＣ信号の各々の重み係数を算出する重み係数算出部と、
前記１つ以上のＡＣ信号、及び前記１つ以上のＴＭＣＣ信号の各々にそれぞれの重み係数を乗算してダイバーシティ受信を行うダイバーシティ受信部と、
前記ダイバーシティ受信部から出力される信号をキャリア復調する復調部と、
前記復調部から出力される復調出力を差動復号する差動復号部とを備え、
前記ダイバーシティ受信部は、前記１つ以上のＡＣ信号のＯＦＤＭシンボル番号１から１６までと、前記１つ以上のＴＭＣＣ信号のシンボル番号１から１６までとをダイバーシティ受信し、
該ダイバーシティ受信は、信号をアナログ加算する最大比合成若しくは等利得合成、又は信号を選択する選択受信であることを特徴とする受信装置。
【請求項１０】
地上デジタルテレビジョン放送のＡＣ信号を用いて緊急情報を受信する受信装置であって、
緊急情報が１つ以上のＡＣ信号で伝送されており、且つ該１つ以上のＡＣ信号のＯＦＤＭシンボル番号１から１６までのビット割り当ては、前記ＡＣ信号とともに多重される１つ以上のＴＭＣＣ信号のＯＦＤＭシンボル番号１から１６までの同期信号と同じビット割り当ての同期信号が割り当てられており、
前記１つ以上のＡＣ信号と前記１つ以上のＴＭＣＣ信号を含む無線周波信号を中間周波信号に変換するＲＦ受信部と、
前記中間周波信号から前記１つ以上のＡＣ信号と前記１つ以上のＴＭＣＣ信号を抽出する信号抽出部と、
前記信号抽出部によって抽出した前記１つ以上のＡＣ信号と前記１つ以上のＴＭＣＣ信号を遅延検波する遅延検波部と、
前記１つ以上のＡＣ信号と前記１つ以上のＴＭＣＣ信号をダイバーシティ受信するダイバーシティ受信部と、
前記ダイバーシティ受信部から出力される信号をキャリア復調する復調部と、
前記復調部から出力される緊急情報を判定する緊急情報判定部とを備え、
前記ダイバーシティ受信は、信号をアナログ加算する等利得合成、又は信号を選択する選択受信であることを特徴とする受信装置。
【請求項１１】
前記１つ以上のＡＣ信号のうちの１つ以上、及び前記１つ以上のＴＭＣＣ信号のうちの１つ以上は、互いに差動基準の異なる同期信号を有することを特徴とする、請求項９又は１０に記載の受信装置。
【請求項１２】
前記緊急情報が、緊急警報放送、緊急地震速報、ニュース速報に関連する情報のうちの１つ以上を含むことを特徴とする、請求項６〜１１のいずれか一項に記載の受信装置。
【発明の詳細な説明】
【技術分野】
【０００１】
本発明は、地上デジタルテレビジョン放送において、伝送制御（ＴＭＣＣ：Transmission and Multiplexing Configuration Control）、又は付加情報（ＡＣ：Auxiliary Channel）で緊急情報を送信する送信装置、及び伝送制御信号（以下、伝送制御信号には、ＴＭＣＣ又はＡＣを含む）で緊急速報を受信する受信装置に関する。
【背景技術】
【０００２】
現在、地上デジタルテレビジョン放送の伝送システムとして、例えば、ＩＳＤＢ−Ｔ（Integrated Services Digital Broadcasting-Terrestrial）方式が実用化されている。
【０００３】
受信装置の復調動作に関わる緊急情報を伝送するために設けられているＴＭＣＣ信号と呼ばれる信号と、放送事業者向けの用途にＡＣ信号と呼ばれる信号が、ＩＳＤＢ−Ｔ方式の放送波には割り当てられている。そのＡＣキャリアを利用した音声の伝送方式がＡＲＩＢ  ＳＴＤ−Ｂ３１の参考資料として記載されている。
【０００４】
ＴＭＣＣ，ＡＣで緊急情報を伝送する際には、伝送路の環境や受信環境によっては更なる受信特性の改善が求められている。伝送路のデータ誤りを改善するために、誤り訂正符号が使われることが考えられ、ＴＭＣＣには差集合巡回符号（２７３，１９１）の短縮符号（１８４，１０２）が用いられている。ＡＣにおいては、ＤＢＰＳＫ変調とすることを除いて何も規定されていない。
【０００５】
気象庁は、平成１９年１０月１日から緊急地震速報（例えば、非特許文献１参照）の一般への提供を開始した。これに伴い、テレビジョン並びにラジオの各放送局も前記速報が発表される際には、チャイム音とともにテレビジョン画面に表示または音声で伝えるなどの放送を実施している。尚、緊急地震速報のラジオ放送の一部は、平成２０年４月１日から開始している。
【０００６】
また、緊急警報放送の場合に、待機消費電力を抑えて動作し、電源が入っていない受信装置を起動して受信装置に知らせる仕組みが知られている。例えば、ＩＳＤＢ−Ｔ方式の地上デジタルテレビジョンの受信装置は、受信装置の通常動作時の電源が供給されていない場合に、ＴＭＣＣキャリアに格納される緊急警報放送用起動フラグを検出する伝送制御信号用の受信機能を備えることにより、緊急警報放送用起動フラグが１（緊急警報放送あり）のとき、受信装置の電源を投入し、受信装置に緊急警報放送の視聴を促すことができる（例えば、特許文献１参照）。
【０００７】
さらに、受信装置の電源が入っていない場合、あるいは他のチャンネルを受信している場合に、緊急情報時に電源投入あるいはチャンネル切り替えを促すことが開示されており、この制御のため部分受信セグメント内のＴＭＣＣ信号及びＡＣ信号を受信し、電源投入後あるいはチャンネル切り替え後に、その他の災害・防災情報並びに映像・音声の再生を行う技術が提示されている（例えば、特許文献２参照）。
【先行技術文献】
【特許文献】
【０００８】
【特許文献１】特開２００６−３１９７７１号公報
【特許文献２】特開２００７−２４３９３６号公報
【非特許文献】
【０００９】
【非特許文献１】“緊急地震速報の概要や処理手法に関する技術的参考資料”、気象庁地震火山部、[平成２０年１月３１日検索]、インターネット〈URL:http://www.seisvol.kishou.go.jp/eq/EEW/kaisetsu/Whats_EEW/reference.pdf〉
【発明の概要】
【発明が解決しようとする課題】
【００１０】
ＴＭＣＣまたはＡＣで緊急情報を伝送する際に、伝送路におけるデータ誤りや、移動受信環境での受信特性を改善するために、信号をアナログ加算するダイバーシティ合成受信方式を用いることが考えられる。
【００１１】
例えばＩＳＤＢ−Ｔ方式のモード３では、ＴＭＣＣ信号に対しては、１つのセグメントに４つのＴＭＣＣキャリアがあり、更に差集合巡回符号（２７３，１９１）の短縮符号（１８４，１０２）が用いられている。
【００１２】
しかし、携帯端末のような部分受信セグメント（以下、「ワンセグ」と称する）用の受信装置の場合、１つのセグメント分の信号しか受信及び復調を行なわないので、ＴＭＣＣキャリアのみをダイバーシティ合成受信しても、キャリア合成数が最大で４つ取ることができるのみである。これは、１２セグメントを受信するハイビジョン受信装置ほどダイバーシティ合成利得が得られないことを意味しており、ＯＦＤＭフレーム同期が確立できず、ビル影などの受信電界が低い場所では受信不良を生じうる。
【００１３】
一方、ＡＣキャリアにおいては、キャリア変調をＤＢＰＳＫとすること以外に規定は存在しない。また、ワンセグ用の受信装置などの普及を考えると、受信アンテナを収納した状態、もしくは内蔵された受信アンテナ、或いはカバンやポケットの中に受信装置を収容しているような低ＣＮ比の環境でも、地上デジタルテレビジョン放送の放送波の一部信号（ＴＭＣＣ又はＡＣなど）を受信及び復調して、受信装置のユーザ（放送を視聴せずに、受信装置を保持するのみの者も含む）にＴＭＣＣ又はＡＣで伝送される緊急情報を知らせる技法が必要とされている。
【００１４】
地上デジタルテレビジョンの放送波のＴＭＣＣもしくはＡＣで伝送されている緊急情報を、低ＣＮ比の受信環境で復調する際に、一般に遅延検波を用いるよりも同期検波を用いる方が良好な受信特性が得られることが知られている。しかし、ＴＭＣＣ，ＡＣはＤＢＰＳＫ変調の信号であり、同期検波出力をＴＭＣＣキャリア、ＡＣキャリア間でダイバーシティ合成受信するには、差動復調の基準の値によっては位相が反転する。位相が反転しているキャリア同士の信号をアナログ加算すれば、ダイバーシティ合成利得が得られるどころか、信号同士が打ち消しあってダイバーシティ合成利得が下がることになる。
【００１５】
従って、本発明の目的は、上述の問題に鑑みて、低ＣＮ比の受信環境においてもフレーム同期信号を確立し、ＴＭＣＣもしくはＡＣを復調することを可能とする送信装置、及び受信装置を提供することにある。
【課題を解決するための手段】
【００１６】
本発明は、地上デジタルテレビジョンの放送波のＴＭＣＣもしくはＡＣで緊急情報を伝送する際に、低ＣＮ比の受信環境でも受信装置を保持する受信者へ緊急情報を知らせる手段を提供することにある。
【００１７】
具体的には、本発明の送信装置は、地上デジタルテレビジョンの放送波を送信する送信装置であって、受信装置側でＡＣキャリア同士の信号をアナログ加算するダイバーシティ合成受信で所要ＣＮ比を下げるために、複数（２つ以上）のＡＣキャリア内の情報のビット割り当てを同一にして、地上デジタルテレビジョン放送の放送波を送信する。
【００１８】
本発明の受信装置としては、受信アンテナで受信した無線周波信号（ＲＦ信号）を中間周波信号（ＩＦ信号）に変換し、所望のＡＣ信号、ＴＭＣＣ信号、ＳＰ（Ｓｃａｔｔｅｒｅｄ  Ｐｉｌｏｔ）信号を抽出し、ＳＰ信号を用いて同期検波し、その検波出力をＴＭＣＣキャリア同士、またはＡＣキャリア同士、またはＴＭＣＣとＡＣキャリア同士で、キャリア間の位相を補正した後にダイバーシティ受信して復調する。
【００１９】
また、本発明の受信装置において、遅延検波し、その検波出力をＴＭＣＣキャリア同士、またはＡＣキャリア同士、またはＴＭＣＣとＡＣキャリア同士で、ダイバーシティ受信して復調する。
【００２０】
即ち、本発明の送信装置は、地上デジタルテレビジョン放送のＡＣ信号を用いて緊急情報を送信する送信装置であって、緊急情報の電文を生成する緊急情報生成部と、伝送する緊急情報に対して誤り訂正符号のパリティビットを演算して付加する誤り訂正符号化部と、前記パリティビットを付加して生成される緊急情報をＡＣ信号で伝送するためにトランスポートストリームに多重する再多重部と、地上デジタルテレビジョンの放送波の変調波に変調する変調部とを備え、前記パリティビットを付加して生成される緊急情報を伝送するＡＣ信号は、２つ以上のＡＣ信号間で同一のビット割り当てを有することを特徴とする。
【００２１】
また、本発明の送信装置において、前記２つ以上のＡＣ信号間における同一のビット割り当ては、ＡＣキャリア間でＯＦＤＭシンボル番号０を除く２０３ビット全てが同一に割り当てられていることを特徴とする。
【００２２】
また、本発明の送信装置において、前記２つ以上のＡＣ信号間で同一のビット割り当ては、当該ＡＣ信号のＯＦＤＭシンボル番号１から１６までのビット割り当てとして、前記変調部から出力される変調波のＴＭＣＣ信号のＯＦＤＭシンボル番号１から１６までの同期信号のビット割り当てと同一に割り当てられていることを特徴とする。
【００２３】
また、本発明の送信装置において、前記２つ以上のＡＣ信号のうちの２つ以上は、差動基準の異なる複数のＡＣ信号からなることを特徴とする。
【００２４】
また、本発明の送信装置において、前記緊急情報が、緊急警報放送、緊急地震速報、ニュース速報に関連する情報のうちの１つ以上を含むことを特徴とする。なお、緊急地震速報は、地震動警報とも称される。
【００２５】
更に、本発明の受信装置は、地上デジタルテレビジョン放送のＡＣ信号を用いて緊急情報を受信する受信装置であって、緊急情報が２つ以上のＡＣ信号で伝送されており、前記２つ以上のＡＣ信号を含む無線周波信号を中間周波信号に変換するＲＦ受信部と、前記中間周波信号から前記２つ以上のＡＣ信号及びＳＰ信号を抽出する信号抽出部と、前記抽出したＳＰ信号から伝送路特性を算出する伝送路特性算出部と、前記算出した伝送路特性から重み係数を算出する重み係数算出部と、前記２つ以上のＡＣ信号に重み係数を乗算してダイバーシティ受信を行うダイバーシティ受信部と、前記ダイバーシティ受信部から出力される信号をキャリア復調する復調部と、前記復調部から出力される復調出力を差動復号する差動復号部と、前記差動復号部から出力される差動復号出力の緊急情報を判定する緊急情報判定部とを備え、前記ダイバーシティ受信は、信号をアナログ加算する最大比合成若しくは等利得合成、又は信号を選択する選択受信であることを特徴とする。
【００２６】
更に、本発明の別の態様の受信装置は、地上デジタルテレビジョン放送のＡＣ信号を用いて緊急情報を受信する受信装置であって、緊急情報が２つ以上のＡＣ信号で伝送されており、前記２つ以上のＡＣ信号を含む無線周波信号を中間周波信号に変換するＲＦ受信部と、前記中間周波信号から前記２つ以上のＡＣ信号を抽出する信号抽出部と、前記信号抽出部によって抽出した前記２つ以上のＡＣ信号を遅延検波する遅延検波部と、前記遅延検波部によって検波した２つ以上のＡＣ信号をダイバーシティ受信するダイバーシティ受信部と、前記ダイバーシティ受信部から出力される信号をキャリア復調する復調部と、前記復調部から出力される緊急情報を判定する緊急情報判定部とを備え、前記ダイバーシティ受信は、信号をアナログ加算する等利得合成、又は信号を選択する選択受信であることを特徴とする。
【００２７】
また、本発明の受信装置において、前記２つ以上のＡＣ信号は、差動基準の異なるＡＣ信号を含むことを特徴とする。
【００２８】
更に、本発明の別の態様の受信装置は、地上デジタルテレビジョン放送のＡＣ信号を用いて緊急情報を受信する受信装置であって、緊急情報が１つ以上のＡＣ信号で伝送されており、且つ該１つ以上のＡＣ信号のＯＦＤＭシンボル番号１から１６までのビット割り当ては、前記ＡＣ信号とともに多重される１つ以上のＴＭＣＣ信号のＯＦＤＭシンボル番号１から１６までの同期信号と同じビット割り当ての同期信号が割り当てられており、前記１つ以上のＡＣ信号及び前記１つ以上のＴＭＣＣ信号を含む無線周波信号を中間周波信号に変換するＲＦ受信部と、前記中間周波信号から前記１つ以上のＡＣ信号、前記１つ以上のＴＭＣＣ信号、及びＳＰ信号を抽出する信号抽出部と、前記抽出したＳＰ信号から伝送路特性を算出する伝送路特性算出部と、前記算出した伝送路特性から前記１つ以上のＡＣ信号、及び前記１つ以上のＴＭＣＣ信号の各々の重み係数を算出する重み係数算出部と、前記１つ以上のＡＣ信号、及び前記１つ以上のＴＭＣＣ信号の各々にそれぞれの重み係数を乗算してダイバーシティ受信を行うダイバーシティ受信部と、前記ダイバーシティ受信部から出力される信号をキャリア復調する復調部と、前記復調部から出力される復調出力を差動復号する差動復号部とを備え、前記ダイバーシティ受信部は、前記１つ以上のＡＣ信号のＯＦＤＭシンボル番号１から１６までと、前記１つ以上のＴＭＣＣ信号のシンボル番号１から１６までとをダイバーシティ受信し、該ダイバーシティ受信は、アナログ加算する最大比合成若しくは等利得合成、又は信号を選択する選択受信であることを特徴とする。
【００２９】
更に、本発明の別の態様の受信装置は、地上デジタルテレビジョン放送のＡＣ信号を用いて緊急情報を受信する受信装置であって、緊急情報が１つ以上のＡＣ信号で伝送されており、且つ該１つ以上のＡＣ信号のＯＦＤＭシンボル番号１から１６までのビット割り当ては、前記ＡＣ信号とともに多重される１つ以上のＴＭＣＣ信号のＯＦＤＭシンボル番号１から１６までの同期信号と同じビット割り当ての同期信号が割り当てられており、前記１つ以上のＡＣ信号と前記１つ以上のＴＭＣＣ信号を含む無線周波信号を中間周波信号に変換するＲＦ受信部と、前記中間周波信号から前記１つ以上のＡＣ信号と前記１つ以上のＴＭＣＣ信号を抽出する信号抽出部と、前記信号抽出部によって抽出した前記１つ以上のＡＣ信号と前記１つ以上のＴＭＣＣ信号を遅延検波する遅延検波部と、前記１つ以上のＡＣ信号と前記１つ以上のＴＭＣＣ信号をダイバーシティ受信するダイバーシティ受信部と、前記ダイバーシティ受信部から出力される信号をキャリア復調する復調部と、前記復調部から出力される緊急情報を判定する緊急情報判定部とを備え、前記ダイバーシティ受信は、信号をアナログ加算する等利得合成、又は信号を選択する選択受信であることを特徴とする。
【００３０】
また、本発明の受信装置において、前記１つ以上のＡＣ信号のうちの１つ以上、及び前記１つ以上のＴＭＣＣ信号のうちの１つ以上は、互いに差動基準の異なる同期信号を有することを特徴とする。
【００３１】
また、本発明の受信装置において、前記緊急情報が、緊急警報放送、緊急地震速報、ニュース速報に関連する情報のうちの１つ以上を含むことを特徴とする。
【発明の効果】
【００３２】
本発明によれば、地上デジタルテレビジョンの放送波のＴＭＣＣあるいはＡＣで伝送された緊急情報を、受信装置側でダイバーシティ受信した信号を復調すれば、低ＣＮ比の受信環境であっても、ワンセグ携帯端末などを介して、受信者への緊急情報を提供することができるようになる。
【図面の簡単な説明】
【００３３】
【図１】ＴＭＣＣのビット割り当てを示す図である。
【図２】ＡＣのビット割り当ての一例を示す図である。
【図３】本発明による一実施例の送信装置のブロック図である。
【図４】複数のＡＣ信号で緊急情報を伝送する場合のビット割り当て例である。
【図５】本発明による一実施例の受信装置のブロック図である。
【図６】本発明による一実施例の受信装置におけるダイバーシティ受信部のブロック図の第１の例である。
【図７】本発明による一実施例の受信装置におけるダイバーシティ受信部のブロック図の第２の例である。
【図８】本発明による一実施例の受信装置におけるダイバーシティ受信部のブロック図の第３の例である。
【図９】本発明による一実施例の受信装置におけるダイバーシティ受信部のブロック図の第４の例である。
【図１０】本発明による一実施例の受信装置におけるダイバーシティ受信部のブロック図の第５の例である。
【図１１】本発明による一実施例の受信装置のブロック図である。
【発明を実施するための形態】
【００３４】
以下、本発明による各実施例の送信装置及び受信装置を説明する。
【００３５】
地上デジタルテレビジョンの放送波で緊急情報を低遅延伝送するために、ＴＭＣＣキャリアあるいはＡＣキャリアを用いる技法が考えられる。これは、ＴＭＣＣ、ＡＣには時間インターリーブが使用されていないためである。
【００３６】
ＡＣ信号に関してはキャリア変調方式をＤＢＰＳＫとすることを除いて、特に規格上規定されていない。ＴＭＣＣは伝送パラメータの指定や受信装置制御の用途などが既に規定されている。図１に、ＴＭＣＣのビット割り当てを示す。ＴＭＣＣで新たな情報として緊急情報を伝送するには、図１に示すようにＴＭＣＣ情報の後方に割り当てられている、将来の拡張用としてのリザーブ、１２ビット（Ｂ１１０−Ｂ１２１）を使用するほかない。
【００３７】
本発明による各実施例についての理解を容易にするため、図２に、ＡＣのビット割り当ての一例を示す。図２の例では、緊急情報を伝送するＡＣ信号は、ＤＢＰＳＫ変調の差動復調の基準、ＴＭＣＣと同一の同期信号、緊急情報の有無を識別するための起動信号、緊急情報の更新を識別するための更新フラグ、緊急情報、誤り訂正用のパリティビットで構成される。「起動信号」は、２ビットで構成され、‘００’が「緊急情報あり」を示し、‘１１’が「緊急情報なし」を示す。従って、「起動信号」は、緊急情報（例えば、地震動警報情報）の伝送の開始／終了を示すフラグ（開始／終了フラグ）として機能する。
【００３８】
以下、上記のＴＭＣＣ及びＡＣのビット割り当てした例に基づいて、実施例１の送信装置及び受信装置を説明する。
【実施例１】
【００３９】
図３を参照して、本発明による実施例１の送信装置１を説明する。図３は、本発明による実施例１の送信装置１のブロック図である。実施例１の送信装置１は、地上デジタルテレビジョン放送波のＴＭＣＣ、或いはＡＣに緊急情報を変調して出力する装置である。伝送する緊急情報の内容は気象庁から配信される情報に基づいて随意生成される。伝送する緊急情報の内容自体は、本発明の主題ではない。
【００４０】
実施例１の送信装置１は、緊急情報生成部１１と、誤り訂正符号化部１２と、再多重部１３と、変調部１４とを備える。
【００４１】
緊急情報生成部１１は、伝送する緊急情報を気象庁の配信サーバなどから緊急情報を受信し、伝送する緊急情報を所定の電文フォーマットに変換する。
【００４２】
誤り訂正符号化部１２は、所定の電文フォーマットに変換された緊急情報を入力して、緊急情報を含むビット列に対して、誤り訂正用のパリティビットを付加する。この一例として差集合巡回符号（２７３，１９１）の短縮符号で訂正符号を付加したとすると、誤り訂正用のパリティビットは８２ビットを付加することとなる。これ以外の誤り訂正符号を使用する場合は、当然パリティビット数も変わってくる。
【００４３】
再多重部１３は、誤り訂正符号化部１２より出力されたデータ列を入力し、入力された放送ＴＳ（トランスポートストリーム）の所定の部分に記述して多重フレームを生成する。例えば、ＴＭＣＣのリザーブの場合は、ＩＩＰ情報のmodulation_control_configuration_informationに、TMCC_reserved_future_useというシンタックスに記述する。ＡＣの多重方法については、ＴＳパケットのダミーバイト部分へ多重する方法と、無効階層ＴＳパケットとして多重する方法などがある。
【００４４】
ＴＭＣＣ及びＡＣの多重方法の詳細については、社団法人電波産業会の「地上デジタルテレビジョンの伝送方式  標準規格」ＡＲＩＢ  ＳＴＤ−Ｂ３１付属の第５章、第６章を参照されたい。
【００４５】
変調部１４は、再多重部１３で生成された放送ＴＳを入力し、多重フレーム構造を有する地上デジタルテレビジョン放送波の信号を所定の変調方式に従って変調して出力する。
【００４６】
複数のＡＣ信号で緊急情報を伝送する場合のビット割り当て例を図４に示す。図４では、モード３のときに８つのＡＣ信号で緊急情報を伝送する場合の例である。即ち、ＴＭＣＣ信号と同一フレーム長であり、ＴＭＣＣ信号と同様の差動復調の基準（図４では、単に「基準」として図示している）、及び、ＴＭＣＣ信号と同一の同期信号と、緊急情報の有無を識別する起動信号と、緊急情報の更新を識別する更新フラグと、緊急地震速報の情報を含む緊急情報と、誤り訂正符号のパリティビットとを格納する電文情報が、送信装置１からＡＣキャリアにて伝送されるように変調されている。尚、必ずしも８つのＡＣ信号で緊急情報を伝送する必要はない。少なくとも２つ以上のＡＣ信号で緊急情報を伝送すれば、受信装置側で複数のキャリア間で、ダイバーシティ受信して復調することが可能となる。従って、これによるダイバーシティ合成利得の結果、低ＣＮ比の受信環境でもＡＣ信号を復調することが可能となり、受信者への緊急情報を知らせることができる。
【００４７】
また、ＴＭＣＣのリザーブの部分で緊急情報を伝送する場合も同様に、少なくとも２つ以上のＴＭＣＣ信号で緊急情報を伝送する送信装置１であれば、ＴＭＣＣのキャリア間でダイバーシティ受信して復調することで、同様の効果を得ることができる。
【００４８】
また、ＡＣ信号のＯＦＤＭシンボル番号１から１６までのビット割り当てを、ＴＭＣＣ信号と同一とすることで、受信装置２側で、１つ以上のＴＭＣＣ信号と、１つ以上のＡＣ信号とをダイバーシティ受信して復調すれば、低ＣＮ比の受信環境でフレーム同期信号の確立することが可能となる。従って、ビル影などの受信点であってもワンセグ方式の受信装置２などでＡＣ信号を復調して、緊急情報を受信者へ知らせることができる。
【００４９】
図５を参照して、本発明による一実施例の受信装置を説明する。図５は、本発明による実施例１の受信装置２のブロック図である。実施例１の受信装置２は、ＩＳＤＢ−Ｔ方式の地上デジタルテレビジョン放送のＡＣ信号、ＴＭＣＣ信号を復調して、緊急情報を出力する装置である。
【００５０】
実施例１の受信装置２は、受信アンテナ２１と、ＲＦ受信部２２と、信号抽出部２３と、伝送路特性算出部２４と、重み係数算出部２５と、ダイバーシティ受信部２６と、復調部２７と、差動復号部２８と、緊急情報判定部２９とを備える。
【００５１】
ＲＦ受信部２２は、受信アンテナ２１を介して受信した地上デジタルテレビジョンの放送波のＲＦ（ｒａｄｉｏ  ｆｒｅｑｕｅｎｃｙ）信号を入力する。ＲＦ受信部２２は、ＩＦ（Ｉｎｔｅｒｍｅｄｉａｔｅ  Ｆｒｅｑｕｅｎｃｙ）信号に変換して出力する。
【００５２】
信号抽出部２３は、ＲＦ受信部２２からＩＦ信号を入力し、ＩＦ信号からＡＣ信号、ＴＭＣＣ信号、ＳＰ（Ｓｃａｔｔｅｒｅｄ  Ｐｉｌｏｔ）信号を抽出する。
【００５３】
伝送路特性算出部２４は、抽出したＳＰ信号を入力し、ＳＰ信号から伝送路特性を算出する。
【００５４】
重み係数算出部２５は、伝送路特性算出部２４によって算出された伝送路特性のうち、ＡＣキャリア、ＴＭＣＣキャリアに該当する伝送路特性の値を入力して、ＡＣキャリア、ＴＭＣＣキャリアに該当する重み係数を算出し、ダイバーシティ受信部２６に供給する。
【００５５】
ダイバーシティ受信部２６は、信号抽出部２３から供給されるＡＣ信号及びＴＭＣＣ信号と、重み係数算出部２５から供給される重み係数を乗算し、ダイバーシティ受信した値を出力する。ここで、ダイバーシティ受信は、最大比合成、等利得合成、選択受信などがあり、いずれの方法にするかは受信装置側で任意に決めることができる。
【００５６】
上記のダイバーシティ受信部２６で、最大比合成又は等利得合成をする際には、ＡＣ信号、ＴＭＣＣ信号はＤＢＰＳＫ変調されているため、差動復調の基準Ｂ０の値（Ｗｉの値）によっては、合成するキャリア間で位相が反転している。そこで、合成するキャリア間で位相を揃えてから合成する必要がある。図６に、ダイバーシティ受信部２６のブロック図の一例を示す。図６は、モード３のときに、ＡＣ１＿６、ＡＣ１＿７、ＴＭＣＣ＿１、ＴＭＣＣ＿３の差動復調の基準Ｂ０の値（Ｗｉの値）が「１」のキャリアに対して符号を反転させることで、その他のＡＣキャリア、ＴＭＣＣキャリアの差動復調の基準Ｂ０の値（Ｗｉの値）「０」に差動基準の異なる場合でも位相を揃える場合の例である。
【００５７】
図６に示す例とは逆に、差動復調の基準Ｂ０の値（Ｗｉの値）「１」に位相を揃えた場合のダイバーシティ受信部のブロック図の一例を図７に示す。図７の例では、ＡＣ１＿１からＡＣ１＿５、ＡＣ１＿８、ＴＭＣＣ＿２、ＴＭＣＣ＿４に対して符号反転をさせ、差動復調の基準Ｂ０の値（Ｗｉの値）が「０」のキャリアにて位相を合わせている。
【００５８】
図６又は図７のように、ダイバーシティ受信部２６は、各重み付け部（乗算器）２６１−１〜２６１−８，２６２−１〜２６２−４により重み係数を乗じた各ＡＣ信号又はＴＭＣＣ信号の値について、符号反転部２６３−１，２６３−２及び２６４−１，２６４−２（図７では、２６５−１〜２６５−６及び２６６−１，２６６−２）により差動基準の異なる場合でも位相を揃えてからＡＣキャリア合成部２６７及びＴＭＣＣキャリア合成部２６８によりそれぞれ合成した出力を復調部２７へ供給する。復調部２７は、ダイバーシティ受信したＡＣキャリア及びＴＭＣＣキャリアの各々についてＢＰＳＫ復調して、それぞれＡＣデータ及びＴＭＣＣデータを復調し、差動復号部２８へ送出する。尚、重み付けによるダイバーシティ合成自体の詳細は、特許公開２００４−３１２３３３号公報に詳しいので参照されたい。
【００５９】
差動復号部２８は、入力されたＡＣデータ、ＴＭＣＣデータを差動復号し、緊急情報判定部２９へ送出する。
【００６０】
緊急情報判定部２９は、入力されたＡＣやＴＭＣＣの緊急情報から、緊急情報の起動信号を判定して、緊急情報が有りを示す場合には、誤り訂正等の復号処理を施して緊急情報を抽出し、受信装置２の表示画面（図示せず）に緊急情報を表示したり、受信装置２のスピーカ（図示せず）を利用して音などで緊急事態であることを受信者へ知らせたりすることができる。
【００６１】
なお、受信装置２は、現在受信している現在時刻を把握するのに、現在時刻を表す現在時刻情報を検出する現在時刻検出部（図示しない）を設けることも好適である。例えば、現在時刻検出部は、受信装置の入力による時刻設定、標準電波（電波時計、ＪＪＹ）、ＧＰＳ、或いは受信している地上デジタル放送波の受信信号に含まれるＴＤＴ（Ｔｉｍｅ Ｄａｔｅ Ｔａｂｌｅ）などから現在時刻情報を検出することができる。或いは、現在時刻検出部は、受信装置２が携帯電話に具備される場合、基地局からの信号により現在の時刻を検出することができる。
【００６２】
次に、本発明による実施例２の受信装置２を説明する。尚、実施例１と同様な構成要素には同一の参照番号を付して説明する。
【実施例２】
【００６３】
実施例２の受信装置２は、実施例１の送信装置１から伝送されるＲＦ信号を受信する例であり、実施例２の受信装置２のブロック図は実施例１の受信装置２（図５参照）と同じである。しかしながら、実施例２の受信装置２は、ダイバーシティ受信部２６の構成のみが相違する。実施例２のダイバーシティ受信部２６のブロック図の一例を図８に示す。図８に示すように、実施例２のダイバーシティ受信部２６は、差動復調の基準Ｂ０の値（Ｗｉの値）が「０」のキャリアに位相を揃えた後に合成を行い、ＯＦＤＭシンボル番号１から１６まで割り当てられたＯＦＤＭフレームの同期信号をＴＭＣＣ信号とＡＣ信号とで検出して、合成部２６９により、ＴＭＣＣ４つのキャリアよりも優れた合成利得を得るように構成される。低ＣＮ比の受信環境でもフレーム同期信号を検出することが可能となるものである。図８の例は差動復調の基準Ｂ０の値（Ｗｉの値）「０」に位相を揃えた例を示したが、前述した図７の説明と同様に、差動復調の基準Ｂ０の値（Ｗｉの値）「１」のキャリアに位相をそろえても同様の効果が得られる。
【００６４】
図９に実施例２のダイバーシティ受信部２６のブロック図の別の例を示す。図９に示すように、ダイバーシティ受信部２６は、図８の合成部２６９に代えて、選択部２７０を備える構成としてもよい。この場合、ダイバーシティ受信部２６は、選択部２７０により、ＡＣキャリア合成部２６７及びＴＭＣＣキャリア合成部２６８によりそれぞれ合成した出力のうち所望の信号を選択して出力する。
【００６５】
次に、本発明による実施例３の受信装置を説明する。尚、実施例１又は２と同様な構成要素には同一の参照番号を付して説明する。
【実施例３】
【００６６】
実施例３の受信装置２は、実施例１の送信装置１から伝送されるＲＦ信号を受信する例であり、実施例３の受信装置２のブロック図は実施例１，２の受信装置２（図５参照）と同じである。しかしながら、実施例３の受信装置２は、ダイバーシティ受信部２６の構成のみが相違し、ダイバーシティ受信として選択受信する場合を示している。実施例３のダイバーシティ受信部２６のブロック図の一例を図１０に示す。図１０に示すように、実施例３のダイバーシティ受信部２６は、ＡＣ係数判定部２７２によりＡＣ信号用の重み係数の中から最大の重み係数を出力する。そして、ＡＣ選択部２７１により、ＡＣ係数判定部２７２から入力される重み係数と該重み係数に対応するＡＣ信号を乗じた信号を出力する。また、実施例３のダイバーシティ受信部２６は、ＴＭＣＣ係数判定部２７４によりＴＭＣＣ信号用の重み係数の中から最大の重み係数を出力する。そして、ＴＭＣＣ選択部２７３により、ＴＭＣＣ係数判定部２７４から入力される重み係数と該重み係数に対応するＴＭＣＣ信号を乗じた信号を出力する。
【００６７】
次に、本発明による実施例４の受信装置を説明する。尚、実施例１〜３と同様な構成要素には同一の参照番号を付して説明する。
【００６８】
実施例４の受信装置３は、実施例１の送信装置１から伝送されるＲＦ信号を受信する例である。図１１に、実施例４の受信装置３のブロック図の一例を示す。実施例４の受信装置３は、地上デジタルテレビジョン放送波のＡＣ信号及びＴＭＣＣ信号を復調して、緊急情報を出力する装置である。
【００６９】
実施例４の受信装置３は、受信アンテナ２１と、ＲＦ受信部２２と、信号抽出部２３と、遅延検波部３０と、ダイバーシティ受信部２６と、復調部２７と、緊急情報判定部２９とを備える。
【００７０】
ＲＦ受信部２２は、受信アンテナ２１を介して受信した地上デジタルテレビジョンの放送波のＲＦ信号を入力し、ＩＦ信号に変換して出力する。
【００７１】
信号抽出部２３は、ＲＦ受信部２２から出力されたＩＦ信号を入力し、入力されたＩＦ信号からＡＣ信号、ＴＭＣＣ信号を抽出する。
【００７２】
遅延検波部３０は、抽出されたＡＣ信号、ＴＭＣＣ信号を入力し、ＡＣ信号、ＴＭＣＣ信号の遅延検波出力をダイバーシティ受信部２６に出力する。
【００７３】
ダイバーシティ受信部２６は、ダイバーシティ出力をＢＰＳＫ復調する復調部２７に送出し、ＡＣ信号やＴＭＣＣ信号で伝送された緊急情報が得られる。ここで遅延検波出力を等利得合成又は選択受信することで、受信特性・性能が劣化するものの、受信装置３側がフレーム同期を確立するまでの期間や、ＳＰ信号の値が判定できない期間であっても、ＡＣ信号やＴＭＣＣ信号で伝送される緊急情報を復調することができる。
【００７４】
緊急情報判定部２９は、入力されたＡＣやＴＭＣＣの緊急情報から、緊急情報の起動信号を判定して、緊急情報が有りを示す場合には、誤り訂正等の復号処理を施して緊急情報を抽出し、受信装置２の表示画面（図示せず）に緊急情報を表示したり、受信装置２のスピーカ（図示せず）を利用して音などで緊急事態であることを受信者へ知らせたりすることができる。
【００７５】
尚、以上の実施例の説明において、緊急速報の情報は、ＩＳＤＢ−Ｔ方式の地上デジタルテレビジョン放送波の部分受信セグメント（セグメント番号＃０）内のＡＣ信号により送出されることを想定している。携帯電話など移動・携帯端末の多くでは、この部分受信セグメント（セグメント番号＃０）を受信して番組を視聴する（ワンセグサービス）。よって、携帯電話などに具備される本発明の各実施例の受信装置２は、緊急速報の情報を伝送するＡＣ信号を受信できる。一方、他のセグメントを受信する固定受信向けのデジタルテレビなどに具備される本発明の各実施例の受信装置２においても、ＡＣ信号については部分受信セグメント内のものを受信することにより、緊急速報の情報を受信できる。
【００７６】
実施例４の受信装置３において、ダイバーシティ受信部２６の構成を、ＡＣキャリア合成部の出力とＴＭＣＣ合成部の出力とを更に合成する構成とすることで、ＯＦＤＭシンボル番号１から１６まで割り当てられたＯＦＤＭフレームの同期信号をＴＭＣＣ信号とＡＣ信号とで検出することができ、ＴＭＣＣ信号における４つのキャリアのみを用いるよりも優れたダイバーシティ合成利得を得ることができる。これにより、実施例４の受信装置３は、低ＣＮ比の受信環境でもフレーム同期信号を検出することが可能となる。
【００７７】
上述の実施例については特定の実施例を代表的な例として説明したが、本発明の趣旨及び範囲内で、多くの変形及び置換をすることができる。例えば、ＡＣ信号の少なくとも１つ以上を用いてＴＭＣＣ信号と同一の同期信号を有しているので、他のＡＣ信号は、従来と同様の付加情報として用いる場合にも従来よりも優れた合成利得を得ることができる。従って、本発明は、上述の実施例によって制限するものと解するべきではなく、特許請求の範囲によってのみ制限される。
【産業上の利用可能性】
【００７８】
本発明による受信装置及び送信装置は、低ＣＮ比においても、確実な緊急情報の伝達を可能とするので、伝送制御信号を用いて緊急情報を伝送する伝送システムの用途に有用である。
【符号の説明】
【００７９】
１  送信装置
２  受信装置
３  受信装置
１１  緊急情報生成部
１２  誤り訂正符号化部
１３  再多重部
１４  変調部
２１  受信アンテナ
２２  ＲＦ受信部
２３  信号抽出部
２４  伝送路特性算出部
２５  重み係数算出部
２６  ダイバーシティ受信部
２６１−１〜２６１−８，２６２−１〜２６２−４  重み付け部
２６３−１，２６３−２，２６４−１，２６４−２  符号反転部
２６５−１〜２６５−６，２６６−１，２６６−２  符号反転部
２６７  ＡＣキャリア合成部
２６８  ＴＭＣＣキャリア合成部
２６９  合成部
２７０  選択部
２７１  ＡＣ選択部
２７２  ＡＣ係数判定部
２７３  ＴＭＣＣ選択部
２７４  ＴＭＣＣ係数判定部
２７  復調部
２８  差動復号部
２９  緊急情報判定部
３０  遅延検波部
【図１】
2010263603.tif 000003
【図２】
2010263603.tif 000004
【図３】
2010263603.tif 000005
【図４】
2010263603.tif 000006
【図５】
2010263603.tif 000007
【図６】
2010263603.tif 000008
【図７】
2010263603.tif 000009
【図８】
2010263603.tif 000010
【図９】
2010263603.tif 000011
【図１０】
2010263603.tif 000012
【図１１】
2010263603.tif 000013